(57)【特許請求の範囲】
【請求項１】
物体側から像側へ順に、ズーミングのためには不動の正の屈折力の第１レンズ群、ズーミングの際に移動する負の屈折力の第２レンズ群、ズーミングの際に移動する正の屈折力の第３レンズ群、ズーミングのためには不動の正の屈折力の第４レンズ群から構成されるズームレンズにおいて、
前記第４レンズ群を構成する各レンズを前記第４レンズ群の中で１番長い空気間隔と２番目に長い空気間隔を境に分けたとき前記第４レンズ群は物体側から像側へ順に正の屈折力の第４１レンズ群、負の屈折力の第４２レンズ群、正の屈折力の第４３レンズ群よりなり、前記第４２レンズ群は１以上の正レンズと１以上の負レンズを有し、無限遠物体に合焦時の広角端における前記第３レンズ群の横倍率をβ３ｗ、前記第４レンズ群の焦点距離をｆ４、前記第４レンズ群の最も物体側のレンズ面から最も像側のレンズ面までの光軸上の長さをＬｄ４、前記第４１レンズ群と前記第４２レンズ群の空気間隔をＬｄ４１、前記第４２レンズ群と前記第４３レンズ群の空気間隔をＬｄ４２、前記第４２レンズ群の焦点距離をｆ４２、前記第４２レンズ群に含まれる正レンズの材料のアッベ数と部分分散比の平均値を各々ν４２ｐ、θ４２ｐ、前記第４２レンズ群の負レンズのアッベ数と部分分散比の平均値を各々ν４２ｎ、θ４２ｎとするとき、
−０．４０＜１／β３ｗ＜０．１０
０．２０＜｜ｆ４２／ｆ４｜＜０．９０
０．１０＜Ｌｄ４１／Ｌｄ４＜０．４０
０．１０＜Ｌｄ４２／Ｌｄ４＜０．４０
−６．００×１０-3＜（θ４２ｐ−θ４２ｎ）／（ν４２ｐ−ν４２ｎ）＜−２．５０×１０-3
なる条件を満足することを特徴とするズームレンズ。
【請求項２】
前記第１レンズ群の焦点距離をｆ１、前記第２レンズ群の焦点距離をｆ２、前記第３レンズ群の焦点距離をｆ３とするとき、
１．５０＜｜ｆ１／ｆ２｜＜３．２０
０．２０＜｜ｆ２／ｆ３｜＜０．５０
なる条件を満足することを特徴とする請求項１に記載のズームレンズ。
【請求項３】
物体側から像側へ順に、ズーミングのためには不動の正の屈折力の第１レンズ群、ズーミングの際に移動する負の屈折力の第２レンズ群、ズーミングの際に移動する正の屈折力の第３レンズ群、ズーミングのためには不動の正の屈折力の第４レンズ群から構成されるズームレンズにおいて、
前記第４レンズ群を構成する各レンズを前記第４レンズ群の中で１番長い空気間隔と２番目に長い空気間隔を境に分けたとき前記第４レンズ群は物体側から像側へ順に正の屈折力の第４１レンズ群、負の屈折力の第４２レンズ群、正の屈折力の第４３レンズ群よりなり、前記第４２レンズ群は１以上の正レンズと１以上の負レンズを有し、無限遠物体に合焦時の広角端における前記第３レンズ群の横倍率をβ３ｗ、前記第４レンズ群の焦点距離をｆ４、前記第４レンズ群の最も物体側のレンズ面から最も像側のレンズ面までの光軸上の長さをＬｄ４、前記第４１レンズ群と前記第４２レンズ群の空気間隔をＬｄ４１、前記第４２レンズ群と前記第４３レンズ群の空気間隔をＬｄ４２、前記第４２レンズ群の焦点距離をｆ４２、前記第４２レンズ群に含まれる正レンズの材料のアッベ数と部分分散比の平均値を各々ν４２ｐ、θ４２ｐ、前記第４２レンズ群の負レンズのアッベ数と部分分散比の平均値を各々ν４２ｎ、θ４２ｎ、
前記第１レンズ群の焦点距離をｆ１、前記第２レンズ群の焦点距離をｆ２、前記第３レンズ群の焦点距離をｆ３とするとき、
−０．５０＜１／β３ｗ＜０．５０
０．２０＜｜ｆ４２／ｆ４｜＜０．９０
０．１０＜Ｌｄ４１／Ｌｄ４＜０．４０
０．１０＜Ｌｄ４２／Ｌｄ４＜０．４０
−６．００×１０-3＜（θ４２ｐ−θ４２ｎ）／（ν４２ｐ−ν４２ｎ）＜−２．５０×１０-3
１．５０＜｜ｆ１／ｆ２｜＜３．２０
０．２０＜｜ｆ２／ｆ３｜＜０．５０
なる条件を満足することを特徴とするズームレンズ。
【請求項４】
前記第４１レンズ群と前記第４３レンズ群の焦点距離を各々ｆ４１、ｆ４３とするとき、
１．００＜｜ｆ４１／ｆ４２｜＜２．５０
０．９０＜｜ｆ４３／ｆ４２｜＜２．００
なる条件を満足することを特徴とする請求項１乃至３のいずれか１項に記載のズームレンズ。
【請求項５】
前記第４３レンズ群は１以上の正レンズと１以上の負レンズを有し、前記第４３レンズ群に含まれる正レンズの材料のアッベ数と部分分散比の平均値を各々ν４３ｐ、θ４３ｐ、前記第４３レンズ群に含まれる負レンズの材料のアッベ数と部分分散比の平均値を各々ν４３ｎ、θ４３ｎとするとき、
−２．５０×１０-3＜（θ４３ｐ−θ４３ｎ）／（ν４３ｐ−ν４３ｎ）＜−１．００×１０-3
なる条件を満足することを特徴とする請求項１乃至４のいずれか１項に記載のズームレンズ。
【請求項６】
前記第４２レンズ群に含まれる正レンズと負レンズの材料の屈折率の平均値を各々ｎ４２ｐ、ｎ４２ｎとするとき、
０．００＜ｎ４２ｐ−ｎ４２ｎ＜０．４０
なる条件を満足することを特徴とする請求項１乃至５のいずれか１項に記載のズームレンズ。
【請求項７】
前記第４２レンズ群は物体側の面が凸形状の正レンズと像側の面が凹形状の負レンズを接合した接合レンズからなることを特徴とする請求項１乃至６のいずれか１項に記載のズームレンズ。
【請求項８】
前記第４２レンズ群は物体側の面が凹形状の正レンズと像側の面が凹形状の負レンズを接合した接合レンズよりなることを特徴とする請求項１乃至６のいずれか１項に記載のズームレンズ。
【請求項９】
前記第４３レンズ群は物体側から像側へ順に、正レンズ、負レンズ、正レンズからなることを特徴とする請求項１乃至８のいずれか１項に記載のズームレンズ。
【請求項１０】
前記第４３レンズ群は物体側から像側へ順に、正レンズ、負レンズからなることを特徴とする請求項１乃至８のいずれか１項に記載のズームレンズ。
【請求項１１】
請求項１乃至１０のいずれか１項に記載のズームレンズと前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、例えば放送用テレビカメラ、映画用カメラ、ビデオカメラ、デジタルスチルカメラ、監視用カメラ、銀塩写真用カメラ等に好適なものである。
【背景技術】
【０００２】
近年、テレビカメラ、映画用カメラ、銀塩フィルム用カメラ、デジタルカメラ、ビデオカメラ等の撮像装置には、広画角、高ズーム比でしかも全ズーム範囲で高い光学性能を有したズームレンズが要望されている。従来より広画角、高ズーム比のズームレンズが種々と知られている。例えば物体側より像側へ順に、正の屈折力の第１レンズ群、ズーム用の負の屈折力の第２レンズ群、変倍に伴う像面変動を補正するための正の屈折力の第３レンズ群、結像用の正の屈折力の第４レンズ群より成る所謂４群ズームレンズが知られている（特許文献１，２）。
【０００３】
特許文献１には、ズーム比２．５程度、広角端の撮影画角３０°程度の４群ズームレンズが開示されている。特許文献２には、ズーム比２．７程度、広角端の撮影画角３４°程度の４群ズームレンズが開示されている。
【先行技術文献】
【特許文献】
【０００４】
【特許文献１】特開２００１−３５６３８１号公報
【特許文献２】特開２００９−１５６８９３号公報
【発明の概要】
【発明が解決しようとする課題】
【０００５】
前述したレンズ構成の４群ズームレンズは、広画角化及び高ズーム比化が比較的容易である。しかしながら、前述した構成の４群ズームレンズにおいて、全ズーム範囲で高い光学性能を得るには、例えば広角端において倍率色収差及び軸外諸収差等を良好に補正することが重要である。色収差の補正には異常分散性を有する光学材料を使用すれば、倍率色収差を良好に補正するのが容易になる。
【０００６】
しかしながら、単に異常分散性の光学材料より成るレンズを用いても色収差を良好に補正することは難しい。一方、軸外諸収差は各レンズ群のレンズの枚数を増やせば、比較的容易に良好に補正することができる。しかしながら、レンズ枚数を増加すると全系が大型化し、また製造が困難になり好ましくない。
【０００７】
前述した４群ズームレンズにおいて全ズーム範囲にわたり、高い光学性能を得るには、特にズーミングに際して不動の第４レンズ群のレンズ構成及び第４レンズ群に含まれる各レンズの材料を適切に設定することが重要である。これらの構成が不適切であると、広角端において倍率色収差の補正が困難になり、全ズーム範囲にわたり高い光学性能を得るのが困難になる。
【０００８】
本発明は広画角、高ズーム比でしかも全ズーム範囲にわたり高い光学性能が容易に得られるズームレンズ及びそれを有する撮像装置の提供を目的とする。
【課題を解決するための手段】
【０００９】
本発明のズームレンズは、物体側から像側へ順に、ズーミングのためには不動の正の屈折力の第１レンズ群、ズーミングの際に移動する負の屈折力の第２レンズ群、ズーミングの際に移動する正の屈折力の第３レンズ群、ズーミングのためには不動の正の屈折力の第４レンズ群から構成されるズームレンズにおいて、
前記第４レンズ群を構成する各レンズを前記第４レンズ群の中で１番長い空気間隔と２番目に長い空気間隔を境に分けたとき前記第４レンズ群は物体側から像側へ順に正の屈折力の第４１レンズ群、負の屈折力の第４２レンズ群、正の屈折力の第４３レンズ群よりなり、前記第４２レンズ群は１以上の正レンズと１以上の負レンズを有し、無限遠物体に合焦時の広角端における前記第３レンズ群の横倍率をβ３ｗ、前記第４レンズ群の焦点距離をｆ４、前記第４レンズ群の最も物体側のレンズ面から最も像側のレンズ面までの光軸上の長さをＬｄ４、前記第４１レンズ群と前記第４２レンズ群の空気間隔をＬｄ４１、前記第４２レンズ群と前記第４３レンズ群の空気間隔をＬｄ４２、前記第４２レンズ群の焦点距離をｆ４２、前記第４２レンズ群に含まれる正レンズの材料のアッベ数と部分分散比の平均値を各々ν４２ｐ、θ４２ｐ、前記第４２レンズ群の負レンズのアッベ数と部分分散比の平均値を各々ν４２ｎ、θ４２ｎとするとき、
−０．４０＜１／β３ｗ＜０．１０
０．２０＜｜ｆ４２／ｆ４｜＜０．９０
０．１０＜Ｌｄ４１／Ｌｄ４＜０．４０
０．１０＜Ｌｄ４２／Ｌｄ４＜０．４０
−６．００×１０-3＜（θ４２ｐ−θ４２ｎ）／（ν４２ｐ−ν４２ｎ）＜−２．５０×１０-3
なる条件を満足することを特徴としている。
この他本発明のズームレンズは、物体側から像側へ順に、ズーミングのためには不動の正の屈折力の第１レンズ群、ズーミングの際に移動する負の屈折力の第２レンズ群、ズーミングの際に移動する正の屈折力の第３レンズ群、ズーミングのためには不動の正の屈折力の第４レンズ群から構成されるズームレンズにおいて、
前記第４レンズ群を構成する各レンズを前記第４レンズ群の中で１番長い空気間隔と２番目に長い空気間隔を境に分けたとき前記第４レンズ群は物体側から像側へ順に正の屈折力の第４１レンズ群、負の屈折力の第４２レンズ群、正の屈折力の第４３レンズ群よりなり、前記第４２レンズ群は１以上の正レンズと１以上の負レンズを有し、無限遠物体に合焦時の広角端における前記第３レンズ群の横倍率をβ３ｗ、前記第４レンズ群の焦点距離をｆ４、前記第４レンズ群の最も物体側のレンズ面から最も像側のレンズ面までの光軸上の長さをＬｄ４、前記第４１レンズ群と前記第４２レンズ群の空気間隔をＬｄ４１、前記第４２レンズ群と前記第４３レンズ群の空気間隔をＬｄ４２、前記第４２レンズ群の焦点距離をｆ４２、前記第４２レンズ群に含まれる正レンズの材料のアッベ数と部分分散比の平均値を各々ν４２ｐ、θ４２ｐ、前記第４２レンズ群の負レンズのアッベ数と部分分散比の平均値を各々ν４２ｎ、θ４２ｎ、
前記第１レンズ群の焦点距離をｆ１、前記第２レンズ群の焦点距離をｆ２、前記第３レンズ群の焦点距離をｆ３とするとき、
−０．５０＜１／β３ｗ＜０．５０
０．２０＜｜ｆ４２／ｆ４｜＜０．９０
０．１０＜Ｌｄ４１／Ｌｄ４＜０．４０
０．１０＜Ｌｄ４２／Ｌｄ４＜０．４０
−６．００×１０-3＜（θ４２ｐ−θ４２ｎ）／（ν４２ｐ−ν４２ｎ）＜−２．５０×１０-3
１．５０＜｜ｆ１／ｆ２｜＜３．２０
０．２０＜｜ｆ２／ｆ３｜＜０．５０
なる条件を満足することを特徴としている。
【発明の効果】
【００１０】
本発明によれば、広画角、高ズーム比でしかも全ズーム範囲にわたり高い光学性能が容易に得られるズームレンズ及びそれを有する撮像装置が得られる。
【図面の簡単な説明】
【００１１】
【図１】数値実施例１の広角端において無限遠物体に合焦したときのレンズ断面図
【図２】（Ａ）、（Ｂ）、（Ｃ）数値実施例１の広角端、ズーム中間、望遠端で無限遠物体に合焦したときの収差図
【図３】数値実施例２の広角端において無限遠物体に合焦したときのレンズ断面図
【図４】（Ａ）、（Ｂ）、（Ｃ）数値実施例２の広角端、ズーム中間、望遠端で無限遠物体に合焦したときの収差図
【図５】数値実施例３の広角端において無限遠物体に合焦したときのレンズ断面図
【図６】（Ａ）、（Ｂ）、（Ｃ）数値実施例３の広角端、ズーム中間、望遠端で無限遠合焦したときの収差図
【図７】数値実施例４の広角端において無限遠物体に合焦したときのレンズ断面図
【図８】（Ａ）、（Ｂ）、（Ｃ）数値実施例４の広角端、ズーム中間、望遠端で無限遠合焦したときの収差図
【図９】数値実施例５の広角端において無限遠物体に合焦したときのレンズ断面図
【図１０】（Ａ）、（Ｂ）、（Ｃ）数値実施例５の広角端、ズーム中間、望遠端で無限遠合焦したときの収差図
【図１１】数値実施例６の広角端において無限遠物体に合焦したときのレンズ断面図
【図１２】（Ａ）、（Ｂ）、（Ｃ）数値実施例６の広角端、ズーム中間、望遠端で無限遠合焦したときの収差図
【図１３】本発明の撮像装置の要部概略図
【図１４】正の屈折力のレンズ群による２色色消しと２次スペクトルの残存に関する模式図
【図１５】光学材料のアッベ数νと部分分散比θの分布の模式図
【発明を実施するための形態】
【００１２】
以下、本発明の実施の形態を添付の図面に基づいて詳細に説明する。本発明のズームレンズは、物体側から像側へ順に、ズーミング（変倍）のためには不動の正の屈折力の第１レンズ群を有する。更にズーミングのために移動する負の屈折力の第２レンズ群、ズーミングに伴う像面の変動を補正するために移動する正の屈折力の第３レンズ群、ズーミングのためには不動の正の屈折力の第４レンズ群から構成されている。
【００１３】
ここでレンズ群がズーミングのためには不動というのは、レンズ群がズーミングを行う目的で駆動されることは無いが、ズーミングとフォーカシングとを同時に行う場合があれば、フォーカシングのために移動することはあり得るということである。第４レンズ群を構成する各レンズを第４レンズ群の中で１番長い空気間隔と２番目に長い空気間隔を境に３つのレンズ群に分ける。このとき第４レンズ群は物体側から像側へ順に正の屈折力の第４１レンズ群、負の屈折力の第４２レンズ群、正の屈折力の第４３レンズ群よりなる。
【００１４】
図１は本発明の実施例１（数値実施例１）のズームレンズの広角端（短焦点距離端）（焦点距離、ｆ＝２５．００ｍｍ）で無限遠物体に合焦時のレンズ断面図である。図２（Ａ）、（Ｂ）、（Ｃ）は数値実施例１の広角端、ズーム中間（中間のズーム位置）（焦点距離、ｆ＝４０．００ｍｍ）、望遠端（長焦点距離端）（焦点距離、ｆ＝６５．００ｍｍ）における無限遠物体に合焦時の収差図である。但し、焦点距離は数値実施例の値をｍｍ単位で表したときの値である。これは以下の各実施例において全て同じである。
【００１５】
図３は本発明の実施例２（数値実施例２）のズームレンズの広角端（焦点距離、ｆ＝３０．００ｍｍ）で無限遠物体に合焦時のレンズ断面図である。図４（Ａ）、（Ｂ）、（Ｃ）は数値実施例１の広角端、ズーム中間（焦点距離、ｆ＝５０．００ｍｍ）、望遠端（焦点距離、ｆ＝８０．００ｍｍ）における無限遠物体に合焦時の収差図である。
【００１６】
図５は本発明の実施例３（数値実施例３）のズームレンズの広角端（焦点距離、ｆ＝４０．００ｍｍ）で無限遠物体に合焦時のレンズ断面図である。図６（Ａ）、（Ｂ）、（Ｃ）は数値実施例１の広角端、ズーム中間（焦点距離、ｆ＝７０．００ｍｍ）、望遠端（焦点距離、ｆ＝１２０．００ｍｍ）における無限遠物体に合焦時の収差図である。
【００１７】
図７は本発明の実施例４（数値実施例４）のズームレンズの広角端（焦点距離、ｆ＝４５．００ｍｍ）で無限遠物体に合焦時のレンズ断面図である。図８（Ａ）、（Ｂ）、（Ｃ）は数値実施例１の広角端、ズーム中間（焦点距離、ｆ＝８０．００ｍｍ）、望遠端（焦点距離、ｆ＝１４０．００ｍｍ）における無限遠物体に合焦時の収差図である。
【００１８】
図９は本発明の実施例５（数値実施例５）のズームレンズの広角端（焦点距離、ｆ＝３０．００ｍｍ）で無限遠物体に合焦時のレンズ断面図である。図１０（Ａ）、（Ｂ）、（Ｃ）は数値実施例１の広角端、ズーム中間（焦点距離、ｆ＝７０．００ｍｍ）、望遠端（焦点距離、ｆ＝１５０．００ｍｍ）における無限遠物体に合焦時の収差図である。
【００１９】
図１１は本発明の実施例６（数値実施例６）のズームレンズの広角端（焦点距離、ｆ＝３５．００ｍｍ）で無限遠物体に合焦時のレンズ断面図である。図１２（Ａ）、（Ｂ）、（Ｃ）は数値実施例１の広角端、ズーム中間（焦点距離、ｆ＝６０．００ｍｍ）、望遠端（焦点距離、ｆ＝１００．００ｍｍ）における無限遠物体に合焦時の収差図である。
【００２０】
図１３は本発明の撮像装置の要部概略図である。図１４は開口絞りと像面Ｉの間に位置する正の屈折力のレンズ群ＬＰの倍率色収差に対する２色色消しと２次スペクトルの残存に関する模式図である。図１５は一般的な光学材料のアッベ数νと部分分散比θの分布の模式図である。
【００２１】
各レンズ断面図において、左方が被写体（物体）側（前方）で、右方が像側（後方）である。レンズ断面図において、Ｕ１はズーミングのためには不動の正の屈折力の第１レンズ群（前玉レンズ群）である。第１レンズ群Ｕ１は物体側から像側へ順に、フォーカスのためには不動の第１ａレンズ群Ｕ１ａ、フォーカス用の第１ｂレンズ群Ｕ１ｂ、フォーカスのためには不動の第１ｃレンズ群Ｕ１ｃを有している。第１ｂレンズ群Ｕ１ｂは無限遠物体から近距離物体へのフォーカスに際して図１の中のFocusと記載した矢印の如く像側へ移動する。
【００２２】
Ｕ２はズーミングの際に移動する負の屈折力の第２レンズ群である。Ｕ３はズーミングの際に移動する正の屈折力の第３レンズ群であり、この第３レンズ群が移動することによりズーミングに伴う像面の変動を補正している。Ｕ４はズーミングのためには不動の正の屈折力の第４レンズ群（リレーレンズ群）（結像部）である。尚、ここでレンズ群とは、１枚以上のレンズを有していれば良く、必ずしも複数枚のレンズを有していなくても構わない。
【００２３】
広角端から望遠端へのズーミングに際して、図１中に示した矢印の如く第２レンズ群Ｕ２は像側へ移動する。第３レンズ群Ｕ３は、広角端から望遠端へのズーミングに際して像側に凸状の軌跡で、すなわち広角端から望遠端へのズーミングに際して、まず像側に移動した後あるズームポジションで方向を反転して物体側に移動する。第４レンズ群Ｕ４を構成する各レンズを第４レンズ群Ｕ４の中で一番長い空気間隔と２番目に長い空気間隔で３つのレンズ群に分ける。
【００２４】
このとき第４レンズ群Ｕ４は物体側から像側へ順に、正の屈折力の第４１レンズ群Ｕ４１、負の屈折力の第４２レンズ群Ｕ４２、正の屈折力の第４３レンズ群Ｕ４３の３つのレンズ群からなる。第２レンズ群Ｕ２と第３レンズ群Ｕ３の２つのレンズ群でズーム系（変倍群）を構成している。ＳＰは絞り（開口絞り）であり、第３レンズ群Ｕ３と第４レンズ群Ｕ４の間に配置されている。
【００２５】
Ｉは撮像面（像面）であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００２６】
収差図において、球面収差における実線と一点鎖線と点線は各々ｅ線、g線、Ｃ線である。非点収差における点線と実線は各々メリディオナル像面，サジタル像面であり、倍率色収差における一点鎖線と点線は各々g線、Ｃ線である。ωは半画角（撮影半画角）（度）である。ＦｎｏはＦナンバーである。尚、以下の各実施例においてズーム系の第２、第３レンズ群Ｕ２、Ｕ３が最も短焦点側の配置となった場合を広角端、最も長焦点側の配置となった場合を望遠端という。
【００２７】
各実施例において、第４２レンズ群Ｕ４２は１以上の正レンズと１以上の負レンズを有する。無限遠物体に合焦時であって、広角端における第３レンズ群Ｕ３の横倍率をβ３ｗとする。第４レンズ群Ｕ４の焦点距離をｆ４、第４レンズ群Ｕ４の最も物体側のレンズ面から最も像側のレンズ面までの光軸上の長さをＬｄ４とする。第４１レンズ群Ｕ４１と第４２レンズ群Ｕ４２の空気間隔をＬｄ４１とする。第４２レンズ群Ｕ４２と第４３レンズ群Ｕ４３の空気間隔をＬｄ４２とする。
【００２８】
第４２レンズ群Ｕ４２の焦点距離をｆ４２、第４２レンズ群Ｕ４２に含まれる正レンズの材料のアッベ数と部分分散比の平均値を各々ν４２ｐ、θ４２ｐとする。第４２レンズ群Ｕ４２の負レンズのアッベ数と部分分散比の平均値を各々ν４２ｎ、θ４２ｎとする。
このとき、
−０．５０＜１／β３ｗ＜０．５０        ・・・（１）
０．２０＜｜ｆ４２／ｆ４｜＜０．９０  ・・・（２）
０．１０＜Ｌｄ４１／Ｌｄ４＜０．４０  ・・・（３）
０．１０＜Ｌｄ４２／Ｌｄ４＜０．４０  ・・・（４）
−６．００×１０-3＜（θ４２ｐ−θ４２ｎ）／（ν４２ｐ−ν４２ｎ）＜−２．５０×１０-3                      ・・・（５）
なる条件を満足する。
又は、
−０．４０＜１／β３ｗ＜０．１０        ・・・（１ａ）
０．２０＜｜ｆ４２／ｆ４｜＜０．９０  ・・・（２）
０．１０＜Ｌｄ４１／Ｌｄ４＜０．４０  ・・・（３）
０．１０＜Ｌｄ４２／Ｌｄ４＜０．４０  ・・・（４）
−６．００×１０-3＜（θ４２ｐ−θ４２ｎ）／（ν４２ｐ−ν４２ｎ）＜−２．５０×１０-3                      ・・・（５）
なる条件式を満足する。
【００２９】
尚、材料のアッベ数や部分分散比の平均値とは正レンズ（負レンズ）が１つしか含まれないときは１つの正レンズ（負レンズ）の材料の値とする。
【００３０】
次に前述の各条件式の技術的意味について説明する。条件式（１）及び条件式（１ａ）は、広角端における第３レンズ群Ｕ３の横倍率に関し、第３レンズ群Ｕ３から射出する光束の射出角について規定している。各実施例のズームレンズにおいて、第３レンズ群Ｕ３の射出角はズーム全域にわたり諸収差を抑制することとレンズ枚数の削減を図るために重要な要素となっている。条件式（１）又は条件式（１ａ）を満足することにより、第４レンズ群Ｕ４のレンズ構成枚数を少なくしつつ、諸収差を良好に補正することを容易にしている。
【００３１】
条件式（１）又は条件式（１ａ）の上限又は下限を超えると、第３レンズ群Ｕ３から射出される光束がアフォーカルから遠ざかり、収斂または発散となる。このため、第４レンズ群Ｕ４で諸収差を良好に補正するためにはレンズの数を増加させねばなせなくなってくる。
【００３２】
条件式（２）は、第４レンズ群Ｕ４と第４２レンズ群Ｕ４２の焦点距離の比を規定している。各実施例のズームレンズにおいて、広角端における倍率色収差、像面湾曲及び軸外諸収差の発生を抑制するためには第４レンズ群Ｕ４と第４２レンズ群Ｕ４２の焦点距離の比を適切に設定することが重要な要素となっている。条件式（２）を満足することにより、第４２レンズ群Ｕ４２で倍率色収差及び諸収差を効果的に補正している。
【００３３】
条件式（２）の下限を超えると、第４２レンズ群Ｕ４２の負の屈折力が大きくなりすぎて、像面湾曲及び諸収差を補正することが困難となる。条件式（２）の上限を超えると、第４２レンズ群Ｕ４２の負の屈折力が小さくなりすぎて、倍率色収差及び諸収差の補正が困難となる。
【００３４】
条件式（３）は、第４レンズ群Ｕ４のレンズ長さＬｄ４と、第４１レンズ群Ｕ４１と第４２レンズ群Ｕ４２の間の空気間隔Ｌｄ４１の比を規定している。各実施例のズームレンズでは、少ないレンズ枚数で広角端における諸収差を良好に補正するために長さＬｄ４と長さＬｄ４１の比を適切に設定することが重要な要素となっている。条件式（３）を満足することにより、第４１レンズ群Ｕ４１と第４２レンズ群Ｕ４２のレンズ間隔Ｌｄ４１が適切に設定され、第４レンズ群Ｕ４の各レンズ群の収差補正の役割が明確となり、より少ないレンズ枚数にて構成することが容易となる。
【００３５】
条件式（３）の上限を超えると、第４１レンズ群Ｕ４１と第４２レンズ群Ｕ４２の間隔Ｌｄ４１が大きくなり、これに対して第４２レンズ群Ｕ４２の屈折力が小さくなるため、倍率色収差及び像面湾曲等の軸外諸収差を補正することが困難となる。条件式（３）の下限を超えると、第４２レンズ群Ｕ４２が開口絞りＳＰに近付くため、倍率色収差及び像面湾曲等の軸外諸収差を補正することが困難となる。
【００３６】
条件式（４）は、第４レンズ群Ｕ４のレンズ長さＬｄ４と、第４２レンズ群Ｕ４２と第４３レンズ群Ｕ４３の間の空気間隔Ｌｄ４２の比を規定している。各実施例のズームレンズにおいて、少ないレンズ枚数で広角端における諸収差を良好に補正するためには長さＬｄ４と長さＬｄ４２の比を適切に設定することが重要な要素となっている。条件式（４）を満足することにより、第４２レンズ群Ｕ４２と第４３レンズ群Ｕ４３のレンズ間隔Ｌｄ４２が適切に設定され、第４レンズ群の各レンズ群の収差補正の役割が明確となり、より少ないレンズ枚数にて構成することが容易となる。
【００３７】
条件式（４）の上限を超えると、第４２レンズ群Ｕ４２が開口絞りＳＰに近付くため、倍率色収差及び像面湾曲等の軸外諸収差を補正することが困難となる。条件式（４）の下限を超えると、第４２レンズ群Ｕ４２と第４３レンズ群Ｕ４３の間隔Ｌｄ４が小さくなり射出瞳位置が撮像面に近付くため、撮像面に角度を持った光束が入射してしまう。この結果、シェーディングが多く発生してくるので良くない。
【００３８】
条件式（５）は、主に広角端において倍率色収差の２次スペクトルを適切に補正するための条件である。各実施例のズームレンズでは、第４レンズ群Ｕ４のレンズの材料の分散特性が広角端の倍率色収差を良好に補正するために重要な要素となっている。条件式（５）を満足することにより、第４２レンズ群Ｕ４２で広角端において倍率色収差を効果的に補正している。
【００３９】
条件式（５）の上限を超えると、広角端において倍率色収差の２次スペクトルの補正効果が小さく、補正不足となってしまう。条件式（５）の下限を超えると、広角端において軸上色収差の２次スペクトルが補正過剰となってしまう。各実施例において更に好ましくは条件式（２）乃至（５）の数値範囲を次の如く設定するのが良い。
【００４０】
０．３０＜｜ｆ４２／ｆ４｜＜０．７０    ・・・（２ａ）
０．１５＜Ｌｄ４１／Ｌｄ４＜０．２５    ・・・（３ａ）
０．１５＜Ｌｄ４２／Ｌｄ４＜０．２５    ・・・（４ａ）
−４．５０×１０-3＜（θ４２ｐ−θ４２ｎ）／（ν４２ｐ−ν４２ｎ）＜−３．００×１０-3                                  ・・・（５ａ）
次に本発明のズームレンズにおいて色収差の補正について説明する。
【００４１】
図１４は開口絞りＳＰと像面Ｉの間にある正の屈折力のレンズ群ＬＰによる、倍率色収差における２色の色消しと２次スペクトルの残存量に関する模式図である。図１５は現存する光学材料のアッベ数νと部分分散比θの分布の模式図である。ここでアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）      ・・・（ア）
θ＝（Ｎｇ−ＮＦ）／（ＮＦ−ＮＣ）    ・・・（イ）
である。図１５に示すように、現存する光学材料はアッベ数νに対し部分分散比θが狭い範囲に分布しており、アッベ数νが小さいほど部分分散比θが大きい傾向を持っている。
【００４２】
屈折力がφ１、φ２、材料のアッベ数がν１、ν２の２枚のレンズＧ１、Ｇ２で構成される薄肉系（合成の屈折力φ）の色収差の補正条件は、
φ１／ν１＋φ２／ν２＝Ｅ          ・・・（ウ）
であらわされる。ここで、
φ＝φ１＋φ２                      ・・・（エ）
である。（ウ）式において、Ｅ＝０とするとＣ線−Ｆ線の結像位置が合致する。
【００４３】
図１４において、正の屈折力のレンズ群ＬＰの色消しでは正レンズＧ１としてアッベ数ν１の大きな材料、負レンズＧ２としてアッベ数ν２の小さな材料を用いる。したがって図１５より正レンズＧ１の材料は部分分散比θ１が小さく、負レンズＧ２の材料は部分分散比θ２が大きくなって、Ｆ線とＣ線で色収差を補正するとｇ線の結像点が光軸から離れる方向にずれる。このずれ量を２次スペクトル量Δとして定義すると、
Δ＝−（１／φ）・（θ１−θ２）／（ν１−ν２）    ・・・（オ）
であらわされる。
【００４４】
ズームレンズはズーミングに伴う収差変動を抑制するため、通常、広角端のズーム位置ではｇ線の結像点を光軸から離れる方向にずらし、望遠端のズーム位置ではg線の結像点を光軸に近付く方向にずらしている。開口絞りＳＰより像側にある第４レンズ群Ｕ４では、正の屈折力のレンズ群は２次スペクトル量Δを小さくするような硝材を選択し、負の屈折力のレンズ群は２次スペクトル量Δを大きくするように硝材選択する。これによれば広角端における倍率色収差の２次スペクトルを補正することができる。
【００４５】
以上の各条件を満たすことにより、各実施例はズーム全域において収差補正が良好に補正された、小型、軽量なズームレンズを得ている。各実施例において、更に好ましくは次の諸条件のうち１以上を満足するのが良い。第１レンズ群Ｕ１の焦点距離をｆ１、第２レンズ群Ｕ２の焦点距離をｆ２、第３レンズ群Ｕ３の焦点距離をｆ３とする。第４１レンズ群Ｕ４１と第４３レンズ群Ｕ４３の焦点距離を各々ｆ４１、ｆ４３とする。
【００４６】
第４３レンズ群Ｕ４３は１以上の正レンズと１以上の負レンズを有している。第４３レンズ群Ｕ４３に含まれる正レンズの材料のアッベ数と部分分散比の平均値を各々ν４３ｐ、θ４３ｐとする。第４３レンズ群Ｕ４３に含まれる負レンズの材料のアッベ数と部分分散比の平均値を各々ν４３ｎ、θ４３ｎとする。第４２レンズ群Ｕ４２に含まれる正レンズと負レンズの材料の屈折率の平均値を各々ｎ４２ｐ、ｎ４２ｎとする。このとき、次の条件式のうち１以上を満足するのが良い。
【００４７】
１．５０＜｜ｆ１／ｆ２｜＜３．２０      ・・・（６）
０．２０＜｜ｆ２／ｆ３｜＜０．５０      ・・・（７）
１．００＜｜ｆ４１／ｆ４２｜＜２．５０  ・・・（８）
０．９０＜｜ｆ４３／ｆ４２｜＜２．００  ・・・（９）
−２．５０×１０−３＜（θ４３ｐ−θ４３ｎ）／（ν４３ｐ−ν４３ｎ）＜−１．００×１０−３                                          ・・・（１０）
０．００＜ｎ４２ｐ−ｎ４２ｎ＜０．４０  ・・・（１１）
次に前述の各条件式の技術的意味について説明する。
【００４８】
条件式（６）は、第１レンズ群Ｕ１と第２レンズ群Ｕ２の焦点距離の比を規定している。条件式（６）の上限を超えると、第１レンズ群Ｕ１の焦点距離が第２レンズ群Ｕ２の焦点距離に比べて相対的に長くなるため、第１レンズ群Ｕ１のレンズ有効径が大きくなり、広画角化が困難となる。条件式（６）の下限を超えると、第１レンズ群Ｕ１の焦点距離が第２レンズ群Ｕ２の焦点距離に比べて相対的に短くなるため、ズーミングに伴って広角側における軸外諸収差の変動を抑制するのが困難になる。特に歪曲や像面湾曲の抑制が困難となる。
【００４９】
条件式（７）は、第２レンズ群Ｕ２と第３レンズ群Ｕ３の焦点距離の比を規定している。条件式（７）の上限を超えて、第３レンズ群Ｕ３の焦点距離が第２レンズ群Ｕ２の焦点距離に比べて相対的に短くなることで第３レンズ群Ｕ３においてズーミングに伴う収差変動が大きくなる。この変動を抑制するために第３レンズ群Ｕ３のレンズ枚数を増やさねばならなくなってくる。条件式（７）の下限を超えると、第３レンズ群Ｕ３の焦点距離が第２レンズ群Ｕ２の焦点距離に比べて相対的に長くなるため、ズーミングに伴う像面変動を抑制するのに第３レンズ群Ｕ３の移動量が大きくなってしまう。
【００５０】
条件式（８）は、第４１レンズ群Ｕ４１と第４２レンズ群Ｕ４２の焦点距離の比を規定している。条件式（８）の上限を超えると、第４１レンズ群Ｕ４１の焦点距離が第４２レンズ群Ｕ４２の焦点距離に比べて相対的に長くなり、広角端において球面収差の補正が困難となる。条件式（８）の下限を超えると、第４２レンズ群Ｕ４２の焦点距離が第４１レンズ群Ｕ４１の焦点距離に比べて相対的に長くなり、広角端における倍率色収差及び軸外諸収差を補正することが困難となる。
【００５１】
条件式（９）は、第４２レンズ群Ｕ４２と第４３レンズ群Ｕ４３の焦点距離の比を規定している。条件式（９）の上限を超えると、第４３レンズ群Ｕ４３の焦点距離が第４２レンズ群Ｕ４２の焦点距離に比べて相対的に長くなり、広角端において倍率色収差及び軸外諸収差の補正が困難となる。条件式（９）の下限を超えると、第４２レンズ群Ｕ４２の焦点距離が第４３レンズ群Ｕ４３の焦点距離に比べて相対的に長くなり、広角端において倍率色収差及び軸外諸収差の補正が困難となる。
【００５２】
条件式（１０）は、広角端において倍率色収差の２次スペクトルを適切に補正するための条件である。第４３レンズ群Ｕ４３は正の屈折力のレンズ群であるため、上述したように数式（オ）の２次スペクトル量Δを小さくすることで、広角端において倍率色収差の２次スペクトルを補正することが容易となる。
【００５３】
条件式（１０）の上限を超えると２次スペクトル量Δが小さくなり、広角端において倍率色収差の２次スペクトルの補正は容易となるが、望遠端において倍率色収差の２次スペクトルが増大し、この補正が困難となる。条件式（１０）の下限を超えると、２次スペクトル量Δが大きくなり、広角端において倍率色収差の２次スペクトルを補正することが困難となる。
【００５４】
条件式（１１）は、第４２レンズ群Ｕ４２の正レンズと負レンズの材料の屈折率の差を規定している。条件式（１１）の上限を超えると、負レンズの材料の屈折率が正レンズの材料の屈折率に比べて相対的に小さくなり、像面湾曲及び軸外諸収差の補正が困難となる。条件式（１１）の下限を超えると、ペッツバール和が補正不足となり、像面湾曲の補正が困難となる。更に好ましくは条件式（６）乃至（１１）の数値範囲を次の如く設定するのが良い。
【００５５】
１．７０＜｜ｆ１／ｆ２｜＜３．００          ・・・（６ａ）
０．２５＜｜ｆ２／ｆ３｜＜０．４５          ・・・（７ａ）
１．５０＜｜ｆ４１／ｆ４２｜＜１．９０      ・・・（８ａ）
０．９９＜｜ｆ４３／ｆ４２｜＜１．７０      ・・・（９ａ）
−１．６８×１０−３＜（θ４３ｐ−θ４３ｎ）／（ν４３ｐ−ν４３ｎ）＜−４．００×１０−４                              ・・・（１０ａ）
０．０５＜ｎ４２ｐ−ｎ４２ｎ＜０．１８    ・・・（１１ａ）
像面湾曲を補正するためには、ペッツバール和を小さくする必要がある。
【００５６】
メリディオナル像面ΔＭ、サジタル像面ΔＳは、非点収差の係数をIII、ペッツバール和をＰ、半画角をωとしたとき、
ΔＭ＝−１／２（３III＋Ｐ）×（ｔａｎω）２      ・・・（カ）
ΔＳ＝−１／２（III＋Ｐ）×（ｔａｎω）２        ・・・（キ）
である。（カ）、（キ）式において、係数III＝０としたときに残存する像面湾曲がペッツバール像面である。ここで、ペッツバール和Ｐは、各レンズの屈折力をφ、屈折率をＮとしたとき、
Ｐ＝Σ（φ／Ｎ）                              ・・・（ク）
である。（カ）〜（ク）式において、III＝０且つＰ＝０とするとメリディオナル像面の像面湾曲とサジタル像面の像面湾曲を同時に補正することができる。
【００５７】
本発明のズームレンズでは、正の屈折力のレンズ群が多いため、正レンズの材料は屈折率を大きくし、負レンズの材料は屈折率を小さくすることでペッツバール和を小さくしている。各実施例において、第４２レンズ群Ｕ４２は物体側の面が凸形状の正レンズと像側の面が凹形状の負レンズを接合した接合レンズからなるのが良い。または、第４２レンズ群Ｕ４２は物体側の面が凹形状の正レンズと像側の面が凹形状の負レンズを接合した接合レンズよりなるのが良い。これによれば、広角端において球面収差、倍率色収差及び像面湾曲等の軸外諸収差の補正が容易となる。
【００５８】
また各実施例において、第４３レンズ群Ｕ４３は物体側から像側へ順に、正レンズ、負レンズ、正レンズからなるのが良い。または第４３レンズ群Ｕ４３は物体側から像側へ順に、正レンズ、負レンズからなるのが良い。これによれば、広角端において軸外諸収差の抑制、特に像面湾曲の補正が容易となる。
【００５９】
次に各実施例のレンズ構成の特徴について説明する。以下、物体側から像側へ数えたとき、実施例１において、第１レンズ群Ｕ１は第１レンズ面〜第１７レンズ面に対応する。第２レンズ群Ｕ２は第１８レンズ面〜第２４レンズ面に対応する。第３レンズ群Ｕ３は第２５レンズ面〜第２９レンズ面に対応する。第４レンズ群Ｕ４は第３０レンズ面〜第４０レンズ面に対応する。開口絞りＳＰ（第３０面）は第４レンズ群Ｕ４の一部として取り扱っている。これは以下の各実施例においても同様である。
【００６０】
広角端から望遠端へのズーミングに際して、第２レンズ群Ｕ２は像側へ直線的に移動するとき、第３レンズ群Ｕ３は像側に凸の軌跡を描きながら略往復移動する。また第３レンズ群Ｕ３から射出される光束が略アフォーカル光束となるように各レンズ群の屈折力、各レンズ群配置が設定されている。これにより、第４レンズ群Ｕ４の構成レンズ枚数を抑制することを容易にしている。また、第３レンズ群Ｕ３の収差分担がズーミングに伴って略一定になり、ズーム全域の収差を抑制するのを容易にしている。
【００６１】
本実施例のズームレンズはズーミングに際しての収差変動が小さく、広角端にて収差を抑制しておくことで、ズーム全域での収差の抑制を容易にしている。第４１レンズ群Ｕ４１と第４２レンズＵ４２にて広角端において球面収差と軸上色収差の補正を主に行っている。第４２レンズ群Ｕ４２と第４３レンズ群Ｕ４３において倍率色収差、像面湾曲及び軸外諸収差の補正を行っている。
【００６２】
後述する表−１に示すように数値実施例１は条件式（１）〜（１１）の何れも満足しており、２．６０倍の高ズーム比で広角端における撮影画角（画角）６３．７６°と広画角化を達成している。且つズーム全域において諸収差を良好に補正した高い光学性能を得ている。
【００６３】
実施例２において、第１レンズ群Ｕ１は第１レンズ面〜第１５レンズ面に対応する。第２レンズ群Ｕ２は第１６レンズ面〜第２３レンズ面に対応する。第３レンズ群Ｕ３は第２４レンズ面〜第２８レンズ面に対応する。第４レンズ群Ｕ４は第２９レンズ面〜第３９レンズ面に対応する。各レンズ群の光学的作用は実施例１と同じである。
【００６４】
後述する表−１に示すように数値実施例２は条件式（１）〜（１１）の何れも満足しており、２．６７倍の高ズーム比で広角端における撮影画角（画角）５４．８０°と広画角化を達成している。且つズーム全域において諸収差を良好に補正した高い光学性能を得ている。
【００６５】
実施例３において、第１レンズ群Ｕ１は第１レンズ面〜第１６レンズ面に対応する。第２レンズ群Ｕ２は第１７レンズ面〜第２４レンズ面に対応する。第３レンズ群Ｕ３は第２５レンズ面〜第２９レンズ面に対応する。第４レンズ群Ｕ４は第３０レンズ面〜第４１レンズ面に対応する。各レンズ群の光学的作用は実施例１と同じである。
【００６６】
後述する表−１に示すように数値実施例３は条件式（１）〜（１１）の何れも満足しており、３．００倍の高ズーム比で広角端における撮影画角（画角）４２．４８°と広画角化を達成している。且つズーム全域において諸収差を良好に補正した高い光学性能を得ている。
【００６７】
実施例４において、第１レンズ群Ｕ１は第１レンズ面〜第１７レンズ面に対応する。第２レンズ群Ｕ２は第１８レンズ面〜第２５レンズ面に対応する。第３レンズ群Ｕ３は第２６レンズ面〜第３０レンズ面に対応する。第４レンズ群Ｕ４は第３１レンズ面〜第４２レンズ面に対応する。各レンズ群の光学的作用は実施例１と同じである。
【００６８】
後述する表−１に示すように数値実施例４は条件式（１）〜（１１）の何れも満足しており、３．１１倍の高ズーム比で広角端における撮影画角（画角）３８．１２°と広画角化を達成している。且つズーム全域において諸収差を良好に補正した高い光学性能を得ている。
【００６９】
実施例５において、第１レンズ群Ｕ１は第１レンズ面〜第１４レンズ面に対応する。第２レンズ群Ｕ２は第１５レンズ面〜第２１レンズ面に対応する。第３レンズ群Ｕ３は第２２レンズ面〜第２６レンズ面に対応する。第４レンズ群Ｕ４は第２７レンズ面〜第３７レンズ面に対応する。第２１レンズ面は非球面形状である。第２１レンズ面は主に広角側において像面湾曲の補正を行っている。この他の各レンズ群の光学的作用は実施例１と同様である。
【００７０】
後述する表−１に示すように数値実施例５は条件式（１）〜（１１）の何れも満足しており、５．００倍の高ズーム比で広角端における撮影画角（画角）５４．８０°と広画角化を達成している。且つズーム全域において諸収差を良好に補正した高い光学性能を得ている。
【００７１】
実施例６において、第１レンズ群Ｕ１は第１レンズ面〜第１３レンズ面に対応する。第２レンズ群Ｕ２は第１４レンズ面〜第２１レンズ面に対応する。第３レンズ群Ｕ３は第２２レンズ面〜第２６レンズ面に対応する。第４レンズ群Ｕ４は第２７レンズ面〜第３８レンズ面に対応する。各レンズ群の光学的作用は実施例１と同じである。
【００７２】
後述する表−１に示すように数値実施例６は条件式（１）〜（１１）の何れも満足しており、２．８６倍の高ズーム比で広角端における撮影画角（画角）４７．９０°と広画角化を達成している。且つズーム全域において諸収差を良好に補正した高い光学性能を得ている。
【００７３】
以上のように各実施例によれば、各レンズ群の屈折力配置や変倍用の移動レンズ群の移動軌跡等を適切に規定している。これにより、高ズーム比化と広画角化を図り、諸収差を良好に補正した高い光学性能のズームレンズを得ている。
【００７４】
図１３は実施例１乃至６のズームレンズを撮影光学系として用いた撮像装置の要部概略図である。図１３において１０１は実施例１乃至６のいずれかのズームレンズである。１２４はカメラ（カメラ本体）である。ズームレンズ１０１はカメラ１２４に対して着脱可能となっている。１２５はカメラ１２４にズームレンズ１０１を装着することで構成される撮像装置である。ズームレンズ１０１は合焦部Ｆ、変倍部ＬＺ、結像部Ｒを有している。合焦部Ｆには第１レンズ群Ｕ１が含まれている。
【００７５】
変倍部ＬＺは変倍のために光軸上を移動する第２レンズ群Ｕ２と、変倍に伴う像面変動を補正するために光軸上を移動する第３レンズ群Ｕ３が含まれている。結像部Ｒは、第４レンズ群Ｕ４が含まれている。ＳＰは開口絞りである。１１４、１１５は各々合焦部Ｆ、変倍部ＬＺを光軸方向に駆動するヘリコイドやカム等の駆動機構である。
【００７６】
１１６〜１１８は駆動機構１１４、１１５および開口絞りＳＰを電動駆動するモータ（駆動手段）である。１１９〜１２１は、合焦部Ｆや変倍部ＬＺの光軸上の位置、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【００７７】
また、１１１、１２２はカメラ１２４及びズームレンズ１０１の各種の駆動を制御するＣＰＵ（制御手段）である。このように本発明のズームレンズを撮像装置に適用することにより、高い光学性能を有する撮像装置を実現している。
【００７８】
以上、本発明の好ましい実施例について説明したが、本発明はこれらの実施例に限定されないことはいうまでもなく、その要旨の範囲内で種々の変形及び変更が可能である。
【００７９】
以下に本発明の実施例１〜６に対する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。非球面は面番号の横に＊印を付けている。ＢＦはバックフォーカスであり、最終レンズ面から像面までの距離である。各実施例と前述した条件式との対応を表１に示す。
【００８０】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。
【００８１】
【数１】
0005901401.tif 000002
【００８２】
数値実施例１
単位 mm
面データ
面番号      r        d        nd       νd     θgF    有効径  焦点距離
1    113.35495   2.10000  1.772499  49.60   0.5521   62.167  -84.555
2     41.22933  12.22908  1.000000   0.00   0.0000   54.489    0.000
3   -380.22797   2.00000  1.589130  61.14   0.5406   54.058 -131.963
4     98.39664   7.84168  1.000000   0.00   0.0000   52.642    0.000
5    -92.86928   2.00000  1.589130  61.14   0.5406   52.633 -222.909
6   -316.72478   2.50000  1.000000   0.00   0.0000   53.594    0.000
7    105.42501   5.54987  1.805181  25.42   0.6161   57.774  148.201
8    825.97252   1.71834  1.000000   0.00   0.0000   58.025    0.000
9    160.20088   9.37829  1.496999  81.54   0.5374   59.154  122.738
10    -97.05090  10.36281  1.000000   0.00   0.0000   59.275    0.000
11    161.98385   2.00000  1.805181  25.42   0.6161   55.212  -83.312
12     47.48212   9.70418  1.496999  81.54   0.5374   53.020   99.816
13    969.23400   0.15372  1.000000   0.00   0.0000   52.875    0.000
14     86.41375   9.27635  1.487490  70.23   0.5300   52.555  106.410
15   -126.27409   0.15372  1.000000   0.00   0.0000   51.902    0.000
16     64.28015   5.18222  1.729157  54.68   0.5444   47.224  123.534
17    214.49049    (可変)  1.000000   0.00   0.0000   45.879    0.000
18    154.04994   1.15291  1.772499  49.60   0.5521   24.596  -40.274
19     25.90238   4.64707  1.000000   0.00   0.0000   22.567    0.000
20    -76.38966   1.07605  1.589130  61.14   0.5406   22.637  -35.603
21     29.22191   3.45874  1.846660  23.78   0.6034   23.277   38.757
22    233.70320   3.39659  1.000000   0.00   0.0000   23.278    0.000
23    -27.39565   0.99919  1.589130  61.14   0.5406   23.321  -88.730
24    -58.09515    (可変)  1.000000   0.00   0.0000   24.239    0.000
25   -143.82535   3.02257  1.589130  61.14   0.5406   25.120  138.124
26    -52.50607   0.10376  1.000000   0.00   0.0000   25.713    0.000
27     70.73807   5.74776  1.496999  81.54   0.5374   26.247   48.232
28    -35.43497   1.07605  1.834000  37.16   0.5775   26.236  -74.678
29    -82.65359    (可変)  1.000000   0.00   0.0000   26.592    0.000
30(絞り)   ∞     6.80013  1.000000   0.00   0.0000   26.476    0.000
31     26.04181   4.38025  1.651597  58.55   0.5426   26.346   74.782
32     51.97292   6.78396  1.000000   0.00   0.0000   25.274    0.000
33    296.75559   3.92358  1.846660  23.78   0.6205   22.972   41.104
34    -39.62446   1.03762  1.720467  34.70   0.5834   22.429  -21.464
35     25.93030  10.00000  1.000000   0.00   0.0000   20.836    0.000
36     52.04781  10.35747  1.496999  81.54   0.5374   27.625   30.287
37    -19.85686   1.03762  1.720467  34.70   0.5834   28.256  -47.764
38    -47.53798   0.20000  1.000000   0.00   0.0000   30.269    0.000
39     57.39627   4.98220  1.438750  94.93   0.5343   31.721  112.479
40   -348.94714  49.43659  1.000000   0.00   0.0000   31.777    0.000
像面        ∞   
【００８３】
各種データ
ズーム比     2.60 
広角     中間     望遠
焦点距離      25.00    40.00    65.00  
Fナンバー      2.60     2.60     2.60  
半画角（度）  31.88    21.24    13.45  
像高          15.55    15.55    15.55  
レンズ全長   239.92   239.92   239.92  
BF            49.44    49.44    49.44  
d17            2.00    18.21    28.40  
d24           23.15    14.96     1.50  
d29            9.00     0.97     4.25  
入射瞳位置    48.49    63.91    79.56  
射出瞳位置   -78.87   -78.87   -78.87  
前側主点位置  68.62    91.44   111.63  
後側主点位置  24.44     9.44   -15.56  
ズームレンズ群データ
群  始面    焦点距離  レンズ構成長  前側主点位置  後側主点位置
1    1      46.50        82.15        52.36         26.10
2   18     -24.00        14.73         3.80         -7.34
3   25      67.50         9.95         3.01         -3.44
4   30      69.21        49.50        32.84        -16.37
【００８４】
数値実施例２
単位 mm
面データ
面番号      r        d        nd       νd     θgF    有効径   焦点距離
1    569.09377   2.50000  1.772499  49.60   0.5521   60.901  -70.246
2     49.66287  13.37511  1.000000   0.00   0.0000   54.777    0.000
3    -79.91880   2.30000  1.589130  61.14   0.5406   54.739 -112.798
4    408.02306   3.09406  1.000000   0.00   0.0000   56.294    0.000
5    112.28112   7.70636  1.720467  34.70   0.5834   58.902  119.452
6   -368.60510   2.00000  1.000000   0.00   0.0000   59.446    0.000
7    206.34761   8.86325  1.496999  81.54   0.5374   60.794  149.796
8   -115.33272  15.73443  1.000000   0.00   0.0000   60.953    0.000
9    147.60148   2.40000  1.846660  23.78   0.6205   56.869 -102.392
10     54.54195  10.13325  1.487490  70.23   0.5300   54.911  101.597
11   -525.18292   0.19000  1.000000   0.00   0.0000   54.771    0.000
12    105.32160   6.29682  1.589130  61.14   0.5406   54.082  165.676
13  -1375.48863   0.19000  1.000000   0.00   0.0000   53.347    0.000
14     86.03858   6.39104  1.729157  54.68   0.5444   51.176  117.556
15 138926.03827    (可変)  1.000000   0.00   0.0000   49.796    0.000
16     34.99716   1.42500  1.882997  40.76   0.5667   27.336  -72.631
17     22.25354   5.50719  1.000000   0.00   0.0000   25.453    0.000
18    -67.59354   1.33000  1.589130  61.14   0.5406   25.399  -63.016
19     83.68381   1.14000  1.000000   0.00   0.0000   25.514    0.000
20     32.48916   3.50000  1.959060  17.47   0.6599   26.210   60.670
21     68.51665   3.11055  1.000000   0.00   0.0000   25.605    0.000
22    -51.90144   1.23500  1.772499  49.60   0.5521   25.530  -42.723
23     92.79882    (可変)  1.000000   0.00   0.0000   25.855    0.000
24    283.11036   1.33000  1.834000  37.16   0.5775   26.788  -69.257
25     48.12367   5.48001  1.496999  81.54   0.5374   27.275   58.380
26    -70.82342   0.12825  1.000000   0.00   0.0000   28.003    0.000
27     69.02571   3.76292  1.589130  61.14   0.5406   28.973  110.369
28  -1177.06735    (可変)  1.000000   0.00   0.0000   29.045    0.000
29(絞り)  ∞      1.00000  1.000000   0.00   0.0000   29.114    0.000
30     31.40773   5.67589  1.622296  53.20   0.5542   29.291   57.226
31    239.58077  10.00000  1.000000   0.00   0.0000   28.374    0.000
32   -118.60112   4.38050  1.808095  22.76   0.6307   23.562   46.770
33    -29.36460   1.03762  1.720467  34.70   0.5834   23.059  -20.270
34     29.88605  10.00000  1.000000   0.00   0.0000   21.693    0.000
35     84.94267   9.52402  1.496999  81.54   0.5374   28.303   35.324
36    -21.38315   1.03762  1.755199  27.51   0.6103   29.200  -68.341
37    -37.05262   0.20000  1.000000   0.00   0.0000   31.055    0.000
38     63.03441   4.47896  1.589130  61.14   0.5406   32.663  115.819
39    769.33635  55.44627  1.000000   0.00   0.0000   32.591    0.000
像面      ∞   
【００８５】
各種データ
ズーム比     2.67 
広角     中間     望遠
焦点距離      30.00    50.00    80.00  
Fナンバー      2.60     2.60     2.60  
半画角（度）  27.40    17.28    11.00  
像高          15.55    15.55    15.55  
レンズ全長   248.72   248.72   248.72  
BF            55.45    55.45    55.45  
d15            1.59    18.97    29.02  
d23           26.23    17.01     2.73  
d28            9.00     0.84     5.06  
入射瞳位置    54.66    75.54    94.32  
射出瞳位置   -76.32   -76.32   -76.32  
前側主点位置  77.83   106.57   125.75  
後側主点位置  25.45     5.45   -24.55  
ズームレンズ群データ
群  始面    焦点距離  レンズ構成長  前側主点位置  後側主点位置
1    1      54.00        81.17        53.22         25.18
2   16     -25.00        17.25         8.59         -4.20
3   24      82.00        10.70         5.57         -1.25
4   29      71.11        47.33        30.98        -21.43
数値実施例３
単位 mm
面データ
面番号      r        d        nd       νd     θgF    有効径   焦点距離
1   -387.64273   2.50000  1.696797  55.53   0.5433   59.898  -59.064
2     46.38826   8.64808  1.755199  27.51   0.6103   55.136   90.636
3    130.00855   5.00033  1.000000   0.00   0.0000   54.147    0.000
4   -198.93482   2.50000  1.589130  61.14   0.5406   54.025 -227.124
5    415.54663   2.50037  1.000000   0.00   0.0000   54.708    0.000
6    136.25286   3.00000  1.805181  25.42   0.6161   56.044 -181.576
7     70.14039  10.81699  1.589130  61.14   0.5406   55.871   89.414
8   -202.60045  13.52988  1.000000   0.00   0.0000   56.141    0.000
9    258.20501   2.85000  1.720467  34.70   0.5834   55.717 -121.610
10     65.44554   0.05688  1.000000   0.00   0.0000   54.938    0.000
11     64.07890  11.55971  1.438750  94.93   0.5343   55.060  100.928
12   -136.54293   0.19000  1.000000   0.00   0.0000   55.179    0.000
13     73.47706   8.63795  1.438750  94.93   0.5343   54.241  141.235
14   -387.57107   0.19000  1.000000   0.00   0.0000   53.439    0.000
15     65.89591   7.11833  1.487490  70.23   0.5300   51.447  152.586
16    542.70635    (可変)  1.000000   0.00   0.0000   50.295    0.000
17     90.34638   1.42500  1.772499  49.60   0.5521   28.500  -43.805
18     24.53389   5.49570  1.000000   0.00   0.0000   26.391    0.000
19    -65.70815   1.33000  1.589130  61.14   0.5406   26.405  -66.841
20     99.97739   1.14000  1.000000   0.00   0.0000   27.051    0.000
21     38.05226   4.85065  1.846660  23.78   0.6205   28.433   43.812
22  -2268.67983   2.38400  1.000000   0.00   0.0000   28.151    0.000
23    -47.60904   1.23500  1.729157  54.68   0.5444   28.068  -45.632
24    113.33972    (可変)  1.000000   0.00   0.0000   28.537    0.000
25    326.79061   1.20000  1.834000  37.16   0.5775   28.981  -91.748
26     62.21608   6.00133  1.496999  81.54   0.5374   29.422   58.799
27    -53.63319   0.20000  1.000000   0.00   0.0000   30.096    0.000
28     67.51788   3.77676  1.651597  58.55   0.5426   30.910  144.366
29    231.53313    (可変)  1.000000   0.00   0.0000   30.738    0.000
30(絞り)    ∞    4.42650  1.000000   0.00   0.0000   30.488    0.000
31     31.66067   9.01039  1.620411  60.29   0.5426   30.269   48.264
32   -530.41808   7.64675  1.000000   0.00   0.0000   28.182    0.000
33    -64.40672   6.07509  1.805181  25.42   0.6161   23.096   46.617
34    -24.86149   1.50000  1.737999  32.26   0.5899   22.128  -17.751
35     28.84693   6.87481  1.000000   0.00   0.0000   22.056    0.000
36   -254.47813   5.67446  1.496999  81.54   0.5374   25.005   50.317
37    -23.00000   1.64526  1.000000   0.00   0.0000   25.938    0.000
38    -22.50692   1.50000  1.772499  49.60   0.5521   26.032  -78.195
39    -36.81350   6.14540  1.000000   0.00   0.0000   27.836    0.000
40     94.65141   5.34629  1.595220  67.74   0.5442   32.702   69.715
41    -72.78282  54.89683  1.000000   0.00   0.0000   33.010    0.000
像面      ∞   
【００８６】
各種データ
ズーム比     3.00 
広角     中間     望遠
焦点距離      40.00    70.00   120.00  
Fナンバー      2.80     2.80     2.80  
半画角（度）  21.24    12.52     7.38  
像高          15.55    15.55    15.55  
レンズ全長   259.93   259.93   259.93  
BF            54.90    54.90    54.90  
d16            1.97    21.72    32.35  
d24           29.08    18.60     1.51  
d29           10.00     0.73     7.20  
入射瞳位置    73.17   113.26   152.33  
射出瞳位置   -92.49   -92.49   -92.49  
前側主点位置 102.31   150.01   174.63  
後側主点位置  14.90   -15.10   -65.10  
ズームレンズ群データ
群  始面    焦点距離  レンズ構成長  前側主点位置  後側主点位置
1    1      68.00        79.10        54.36         10.07
2   17     -25.00        17.86         5.60         -6.93
3   25      74.00        11.18         4.98         -2.11
4   30      88.57        55.84        37.87        -26.32
【００８７】
数値実施例４
単位 mm
面データ
面番号      r        d        nd       νd     θgF    有効径  焦点距離
1   -204.79851   2.50000  1.696797  55.53   0.5433   62.091 -115.366
2    133.93464   0.20000  1.000000   0.00   0.0000   61.905    0.000
3     91.69315   3.72815  2.102050  16.77   0.6721   62.534  355.261
4    116.67681   4.63519  1.000000   0.00   0.0000   61.950    0.000
5  -3328.10384   2.50000  1.696797  55.53   0.5433   61.981 -354.526
6    268.15995   2.00000  1.000000   0.00   0.0000   62.278    0.000
7    244.03004   8.40980  1.620411  60.29   0.5426   62.904  137.836
8   -130.70000   3.00000  1.654115  39.70   0.5737   63.082 -580.448
9   -200.50000  17.84704  1.000000   0.00   0.0000   63.428    0.000
10    157.56595   2.85000  1.846660  23.78   0.6205   61.590 -132.757
11     65.42970   0.59717  1.000000   0.00   0.0000   59.994    0.000
12     66.79239  11.66371  1.496999  81.54   0.5374   60.241  105.153
13   -229.34107   0.19000  1.000000   0.00   0.0000   60.162    0.000
14     69.82956   9.08594  1.487490  70.23   0.5300   58.600  151.196
15   1197.68869   0.19000  1.000000   0.00   0.0000   57.449    0.000
16     84.53680   6.59855  1.620411  60.29   0.5426   55.734  178.009
17    345.20662    (可変)  1.000000   0.00   0.0000   54.273    0.000
18    115.60141   1.42500  1.772499  49.60   0.5521   30.692  -43.106
19     25.80886   6.09645  1.000000   0.00   0.0000   28.296    0.000
20    -64.68927   1.33000  1.589130  61.14   0.5406   28.312  -65.105
21     95.85406   1.14000  1.000000   0.00   0.0000   29.108    0.000
22     41.92068   6.12593  1.846660  23.78   0.6205   30.632   45.368
23   -484.67721   2.52170  1.000000   0.00   0.0000   30.324    0.000
24    -47.97539   1.23500  1.729157  54.68   0.5444   30.247  -49.743
25    152.99974    (可変)  1.000000   0.00   0.0000   30.877    0.000
26    116.05829   5.58544  1.589130  61.14   0.5406   32.230   64.177
27    -55.39353   0.12825  1.000000   0.00   0.0000   32.523    0.000
28     91.69957   8.25612  1.496999  81.54   0.5374   31.995   58.440
29    -41.41239   1.33000  1.800999  34.97   0.5863   31.213  -61.762
30   -249.24669    (可変)  1.000000   0.00   0.0000   31.105    0.000
31(絞り)    ∞    2.91177  1.000000   0.00   0.0000   29.303    0.000
32     33.09875   7.50204  1.620411  60.29   0.5426   28.376   67.061
33    145.56585   9.56548  1.000000   0.00   0.0000   26.187    0.000
34   -121.47875   3.89638  1.805181  25.42   0.6161   20.882   37.522
35    -24.72443   1.50000  1.737999  32.26   0.5899   20.911  -17.475
36     28.08335   8.73653  1.000000   0.00   0.0000   20.782    0.000
37   -118.63157   6.43084  1.496999  81.54   0.5374   24.545   53.011
38    -22.00000   0.74840  1.000000   0.00   0.0000   25.901    0.000
39    -21.49045   1.50000  1.816000  46.62   0.5568   25.918  -91.821
40    -31.01771   8.02212  1.000000   0.00   0.0000   27.619    0.000
41     55.68313   4.88195  1.589130  61.14   0.5406   33.032   83.152
42   -407.26788  45.96507  1.000000   0.00   0.0000   33.040    0.000
像面        ∞  
【００８８】
各種データ
ズーム比     3.11 
広角     中間     望遠
焦点距離      45.00    80.00   140.00  
Fナンバー      2.80     2.80     2.80  
半画角（度）  19.06    11.00     6.34  
像高          15.55    15.55    15.55  
レンズ全長   257.46   257.46   257.46  
BF            45.97    45.97    45.97  
d17            1.50    23.19    32.54  
d25           31.63    20.74     2.38  
d30           11.50     0.69     9.70  
入射瞳位置    80.79   138.40   197.15  
射出瞳位置   -96.93   -96.93   -96.93  
前側主点位置 111.62   173.62   199.98  
後側主点位置   0.97   -34.04   -94.03  
ズームレンズ群データ
群  始面    焦点距離  レンズ構成長  前側主点位置  後側主点位置
1    1      73.00        76.00        51.28          4.66
2   18     -25.00        19.87         5.66         -8.06
3   26      58.00        15.30         1.31         -8.45
4   31     106.46        55.70        46.06        -15.74
【００８９】
数値実施例５
単位 mm
面データ
面番号      r        d        nd       νd     θgF    有効径   焦点距離
1    295.01268   2.66000  1.772499  49.60   0.5521   72.176  -91.878
2     57.20621  16.51744  1.000000   0.00   0.0000   65.371    0.000
3   -126.03429   2.37500  1.589130  61.14   0.5406   65.361 -256.308
4   -752.89141   1.04955  1.000000   0.00   0.0000   66.519    0.000
5     92.29299   4.75000  1.922860  18.90   0.6495   69.140  234.329
6    155.58877   3.80686  1.000000   0.00   0.0000   68.901    0.000
7    344.35398   2.28000  1.805181  25.42   0.6161   69.233 -245.887
8    126.07007  14.08461  1.589130  61.14   0.5406   69.331  104.438
9   -116.07149  18.59321  1.000000   0.00   0.0000   69.722    0.000
10     99.01089   2.18500  1.805181  25.42   0.6161   63.476 -159.575
11     55.58844  16.67748  1.496999  81.54   0.5374   61.426   88.788
12   -195.44112   0.19000  1.000000   0.00   0.0000   60.748    0.000
13     66.75712   8.88535  1.595220  67.74   0.5442   57.417  122.045
14    752.89620    (可変)  1.000000   0.00   0.0000   55.734    0.000
15     98.72346   1.23500  1.816000  46.62   0.5568   25.757  -53.696
16     30.28261   4.84874  1.000000   0.00   0.0000   23.508    0.000
17    -55.04852   1.14000  1.589130  61.14   0.5406   22.470  -31.974
18     29.02742   4.45572  1.808095  22.76   0.6307   21.197   37.017
19    683.54291   1.82601  1.000000   0.00   0.0000   20.577    0.000
20    -43.07889   1.23500  1.772499  49.60   0.5521   20.518  -53.747
21*  1337.73630    (可変)  1.000000   0.00   0.0000   20.895    0.000
22     66.18922   1.23500  1.834000  37.16   0.5775   21.741  -88.269
23     34.65998   3.06641  1.487490  70.23   0.5300   21.745   58.382
24   -157.47489   0.19000  1.000000   0.00   0.0000   21.895    0.000
25     90.68628   1.90796  1.589130  61.14   0.5406   22.109  112.137
26   -244.91474    (可変)  1.000000   0.00   0.0000   22.124    0.000
27(絞り)    ∞    1.49938  1.000000   0.00   0.0000   21.531    0.000
28     31.00767   1.42500  1.755199  27.51   0.6103   21.431  -75.913
29     19.78262   3.46411  1.592010  67.02   0.5357   20.634   42.707
30     83.92386  14.71759  1.000000   0.00   0.0000   20.349    0.000
31     48.39285   3.81455  1.761821  26.52   0.6135   18.560   20.996
32    -23.38220   1.20000  1.749505  35.33   0.5818   18.490  -15.573
33     24.14287  15.00026  1.000000   0.00   0.0000   18.114    0.000
34     37.69649   7.47218  1.496999  81.54   0.5374   26.161   35.644
35    -31.38922   4.19375  1.000000   0.00   0.0000   26.323    0.000
36    -28.03877   1.20000  1.903660  31.32   0.5946   24.753  -61.931
37    -56.90913  46.04769  1.000000   0.00   0.0000   25.488    0.000
像面        ∞  
【００９０】
非球面データ
第21面
K = 6.47521e+003  A 4= 7.28288e-007  A 6= 1.43818e-009  A 8=-1.89454e-011  A10=-7.91776e-014  A12= 9.52326e-016  
各種データ
ズーム比      5.00 
広角     中間     望遠
焦点距離      30.00    70.00   150.00  
Fナンバー      4.00     4.00     4.00  
半画角（度）  27.40    12.52     5.92  
像高          15.55    15.55    15.55  
レンズ全長   274.98   274.98   274.98  
BF            46.05    46.05    46.05  
d14            1.50    32.58    44.16  
d21           38.25    25.71     1.50  
d26           20.00     1.47    14.09  
入射瞳位置    66.66   129.34   198.76  
射出瞳位置   -57.05   -57.05   -57.05  
前側主点位置  87.93   151.81   130.52  
後側主点位置  16.05   -23.95  -103.95  
ズームレンズ群データ
群  始面    焦点距離  レンズ構成長  前側主点位置  後側主点位置
1    1      63.20        94.05        61.05         18.81
2   15     -22.00        14.74         5.31         -5.12
3   22      69.00         6.40         2.13         -2.05
4   27      95.06        53.99        16.56        -37.00
【００９１】
数値実施例６
単位 mm
面データ
面番号      r        d        nd       νd     θgF    有効径  焦点距離
1   4223.62978   2.50000  1.696797  55.53   0.5433   61.571  -86.684
2     59.78700  10.22649  1.000000   0.00   0.0000   56.665    0.000
3   -146.88609   2.20000  1.696797  55.53   0.5433   56.615 -244.586
4  -1042.17543   6.91855  1.000000   0.00   0.0000   56.954    0.000
5     93.47373   5.17118  1.808095  22.76   0.6307   62.443  280.417
6    154.04313   2.50000  1.000000   0.00   0.0000   62.354    0.000
7    222.07620   8.59235  1.487490  70.23   0.5300   62.803  169.972
8   -131.20537  16.57309  1.000000   0.00   0.0000   63.049    0.000
9    111.48673   2.85000  1.805181  25.42   0.6161   60.674 -136.130
10     54.89059  13.36539  1.496999  81.54   0.5374   58.518   85.836
11   -178.29679   0.19000  1.000000   0.00   0.0000   58.228    0.000
12     72.85828   8.19012  1.595220  67.74   0.5442   55.439  128.730
13   1330.23098    (可変)  1.000000   0.00   0.0000   53.890    0.000
14     39.06758   1.42500  1.772499  49.60   0.5521   28.548  -77.609
15     23.32081   5.36255  1.000000   0.00   0.0000   26.000    0.000
16    -77.14879   1.33000  1.589130  61.14   0.5406   25.973  -67.116
17     82.28676   1.14000  1.000000   0.00   0.0000   26.222    0.000
18     33.53582   4.01958  1.846660  23.78   0.6205   27.145   56.613
19    103.13541   2.89438  1.000000   0.00   0.0000   26.656    0.000
20    -52.21673   1.23500  1.589130  61.14   0.5406   26.586  -50.763
21     71.25518    (可変)  1.000000   0.00   0.0000   26.820    0.000
22    146.90596   3.99420  1.589130  61.14   0.5406   27.183   80.980
23    -70.34347   0.12825  1.000000   0.00   0.0000   27.448    0.000
24   -562.62295   4.30225  1.496999  81.54   0.5374   27.415   84.489
25    -39.28096   1.33000  1.834000  37.16   0.5775   27.413  -83.883
26    -90.22950    (可変)  1.000000   0.00   0.0000   27.784    0.000
27(絞り)   ∞     1.00000  1.000000   0.00   0.0000   27.617    0.000
28     34.58038   4.67355  1.618000  63.33   0.5441   27.579   59.758
29    488.38014  13.55541  1.000000   0.00   0.0000   26.918    0.000
30    -77.11980   2.59571  2.102050  16.77   0.6721   20.604  107.591
31    -47.81605   1.50000  1.728250  28.46   0.6077   20.917  -28.866
32     38.57836  13.79597  1.000000   0.00   0.0000   21.253    0.000
33    120.06049   5.73515  1.592400  68.30   0.5456   29.338   52.370
34    -41.28142   5.68368  1.000000   0.00   0.0000   29.894    0.000
35    -28.86122   1.50000  1.903660  31.32   0.5946   29.814 -106.338
36    -42.13698   0.20000  1.000000   0.00   0.0000   31.248    0.000
37     60.30831   6.34934  1.589130  61.14   0.5406   33.009   98.013
38  -1435.31250  43.99960  1.000000   0.00   0.0000   32.940    0.000
像面        ∞  
【００９２】
各種データ
ズーム比      2.86 
広角     中間     望遠
焦点距離      35.00    60.00   100.00  
Fナンバー      2.80     2.80     2.80  
半画角（度）  23.95    14.53     8.84  
像高          15.55    15.55    15.55  
レンズ全長   256.34   256.34   256.34  
BF            44.00    44.00    44.00  
d13            1.90    27.21    41.12  
d21           31.71    20.00     1.50  
d26           15.70     2.10     6.69  
入射瞳位置    64.70    97.79   127.01  
射出瞳位置   -93.92   -93.92   -93.92  
前側主点位置  90.82   131.68   154.51  
後側主点位置   9.00   -16.00   -56.00  
ズームレンズ群データ
群  始面    焦点距離  レンズ構成長  前側主点位置  後側主点位置
1    1      75.40        79.28        59.32         26.22
2   14     -31.20        17.41         8.32         -4.68
3   22      83.00         9.75         2.41         -3.90
4   27      77.99        56.59        34.72        -31.32
【００９３】
【表１】
0005901401.tif 000003
【符号の説明】
【００９４】
Ｕ１  第１レンズ群、Ｕ２  第２レンズ群、Ｕ３  第３レンズ群、Ｕ４  第４レンズ群、Ｉ  像面
【図１】
0005901401.tif 000004
【図３】
0005901401.tif 000005
【図５】
0005901401.tif 000006
【図７】
0005901401.tif 000007
【図９】
0005901401.tif 000008
【図１１】
0005901401.tif 000009
【図１３】
0005901401.tif 000010
【図２】
0005901401.tif 000011
【図４】
0005901401.tif 000012
【図６】
0005901401.tif 000013
【図８】
0005901401.tif 000014
【図１０】
0005901401.tif 000015
【図１２】
0005901401.tif 000016
【図１４】
0005901401.tif 000017
【図１５】
0005901401.tif 000018